【手続補正書】
【提出日】平成22年1月18日(2010.1.18)
【手続補正１】
【補正対象書類名】特許請求の範囲
【補正対象項目名】全文
【補正方法】変更
【補正の内容】
【特許請求の範囲】
【請求項１】
リモコンから受信したリモコン信号に対応する制御を実行するリモコン信号受信装置であって、
リモコン信号を受信する受信手段と、
自社並びに他の製造メーカー毎に夫々割り当てられた各メーカー固有のリモコン信号と、当該リモコン信号に対応する制御情報とを予め格納する格納手段と、
前記受信手段で受信したリモコン信号に対応する制御情報を前記格納手段から取得し、当該制御情報に基づく制御を実行する制御手段と、を有し、
前記制御手段は前記リモコン信号受信装置を設置したユーザが当該リモコン信号受信装置に対して行う地域設定、チャンネル設定、電話回線設定、個人情報設定のうち少なくともいずれか一つの設定がなされている場合には自社並びに他の製造メーカー固有のリモコン信号に対応する制御を実行し、前記設定がなされていない場合は他の製造メーカー固有のリモコン信号に対応する制御を実行しないことを特徴とするリモコン信号受信装置。
【請求項２】
前記制御手段は、前記受信手段で受信したリモコン信号に含まれる製造メーカー固有のコードに基づいて自社のリモコン信号か他社のリモコン信号かを判別し、さらに他社のリモコン信号であった場合は、前記設定がなされているか否かを判別することを特徴とする請求項１に記載のリモコン信号受信装置。
【請求項３】
リモコンから受信したリモコン信号に対応する制御を実行するリモコン信号受信装置であって、
リモコン信号を受信する受信手段と、
自社並びに他の製造メーカー毎に夫々割り当てられた各メーカー固有のリモコン信号と、当該リモコン信号に対応する制御情報とを予め格納する格納手段と、
前記受信手段で受信したリモコン信号に対応する制御情報を前記格納手段から取得し、当該制御情報に基づく制御を実行する制御手段と、
前記格納手段に格納された他の製造メーカー固有のリモコン信号に基づく制御の実行の可否を製造メーカー毎に設定する設定手段と、を有し、
前記制御手段は前記受信手段で受信したリモコン信号が前記設定手段で制御を実行するように設定された製造メーカーのリモコン信号である場合には当該製造メーカー固有のリモコン信号に対応する制御を実行することを特徴とするリモコン信号受信装置。
【請求項４】
前記制御手段は、前記受信手段で受信したリモコン信号に含まれる製造メーカー固有のコードに基づいて、受信したリモコン信号が自社のリモコン信号か他社のリモコン信号かを判別し、判別の結果、他社のリモコン信号であった場合は、当該他社のリモコン信号が前記設定手段で制御を実行するように設定されているか否かを判別することを特徴とする請求項３に記載のリモコン信号受信装置。
【請求項５】
リモコンから受信したリモコン信号に対応する制御を実行するリモコン信号受信装置であって、
リモコン信号を受信する受信手段と、
自社並びに他の製造メーカー毎に夫々割り当てられた各メーカー固有のリモコン信号と、当該リモコン信号に対応する制御情報とを予め格納する格納手段と、
前記受信手段で受信したリモコン信号に対応する制御情報を前記格納手段から取得し、当該制御情報に基づく制御を実行する制御手段と、を有し、
前記制御手段は前記受信手段で受信したリモコン信号が前記格納手段に格納された製造メーカー固有のリモコン信号であるか否かを判別するとともに、当該リモコン信号が前記リモコン信号受信装置の電源ＯＮを指示するリモコン信号であるか否かを判別し、前記リモコン信号が電源ＯＮを指示するリモコン信号である場合には、電源ＯＮを指示したリモコン信号に対応する製造メーカー固有のリモコン信号に対応する制御を実行可能とすることを特徴とするリモコン信号受信装置。
【請求項６】
リモコンから受信したリモコン信号に対応する制御を実行するリモコン信号受信装置の制御方法であって、
リモコン信号を受信する受信工程と、
自社並びに他の製造メーカー毎に夫々割り当てられた各メーカー固有のリモコン信号と、当該リモコン信号に対応する制御情報とを予め記憶部に格納する格納工程と、
前記受信工程で受信したリモコン信号に対応する制御情報を前記記憶部から取得し、当該制御情報に基づく制御を実行する制御工程と、を有し、
前記制御工程では、前記リモコン信号受信装置を設置したユーザが当該リモコン信号受信装置に対して行う地域設定、チャンネル設定、電話回線設定、個人情報設定のうち少なくともいずれか一つの設定がなされている場合には自社並びに他の製造メーカー固有のリモコン信号に対応する制御を実行し、前記設定がなされていない場合は他の製造メーカー固有のリモコン信号に対応する制御を実行しないことを特徴とするリモコン信号受信装置の制御方法。
【請求項７】
前記制御工程では、前記受信工程で受信したリモコン信号に含まれる製造メーカー固有のコードに基づいて自社のリモコン信号か他社のリモコン信号かを判別し、さらに他社のリモコン信号であった場合は、前記設定がなされているか否かを判別することを特徴とする請求項６に記載のリモコン信号受信装置の制御方法。
【請求項８】
リモコンから受信したリモコン信号に対応する制御を実行するリモコン信号受信装置の制御方法であって、
リモコン信号を受信する受信工程と、
自社並びに他の製造メーカー毎に夫々割り当てられた各メーカー固有のリモコン信号と、当該リモコン信号に対応する制御情報とを予め記憶部に格納する格納工程と、
前記受信工程で受信したリモコン信号に対応する制御情報を前記記憶部から取得し、当該制御情報に基づく制御を実行する制御工程と、
前記格納工程に格納された他の製造メーカー固有のリモコン信号に基づく制御の実行の可否を製造メーカー毎に設定する設定工程と、を有し、
前記制御工程では、前記受信工程で受信したリモコン信号が前記設定工程で制御を実行するように設定された製造メーカーのリモコン信号である場合には当該製造メーカー固有のリモコン信号に対応する制御を実行することを特徴とするリモコン信号受信装置の制御方法。
【請求項９】
前記制御工程では、前記受信工程で受信したリモコン信号に含まれる製造メーカー固有のコードに基づいて、受信したリモコン信号が自社のリモコン信号か他社のリモコン信号かを判別し、判別の結果、他社のリモコン信号であった場合は、当該他社のリモコン信号が前記設定工程で制御を実行するように設定されているか否かを判別することを特徴とする請求項８に記載のリモコン信号受信装置の制御方法。
【請求項１０】
リモコンから受信したリモコン信号に対応する制御を実行するリモコン信号受信装置の制御方法であって、
リモコン信号を受信する受信工程と、
自社並びに他の製造メーカー毎に夫々割り当てられた各メーカー固有のリモコン信号と、当該リモコン信号に対応する制御情報とを予め記憶部に格納する格納工程と、
前記受信工程で受信したリモコン信号に対応する制御情報を前記記憶部から取得し、当該制御情報に基づく制御を実行する制御工程と、を有し、
前記制御工程では、前記受信工程で受信したリモコン信号が前記記憶部に格納された製造メーカー固有のリモコン信号であるか否かを判別するとともに、当該リモコン信号が前記リモコン信号受信装置の電源ＯＮを指示するリモコン信号であるか否かを判別し、前記リモコン信号が電源ＯＮを指示するリモコン信号である場合には、電源ＯＮを指示したリモコン信号に対応する製造メーカー固有のリモコン信号に対応する制御を実行可能とすることを特徴とするリモコン信号受信装置の制御方法。
【手続補正２】
【補正対象書類名】明細書
【補正対象項目名】００１６
【補正方法】変更
【補正の内容】
【００１６】
上記目的を達成するために、請求項１記載のリモコン信号受信装置は、リモコンから受信したリモコン信号に対応する制御を実行するリモコン信号受信装置であって、リモコン信号を受信する受信手段と、自社並びに他の製造メーカー毎に夫々割り当てられた各メーカー固有のリモコン信号と、当該リモコン信号に対応する制御情報とを予め格納する格納手段と、前記受信手段で受信したリモコン信号に対応する制御情報を前記格納手段から取得し、当該制御情報に基づく制御を実行する制御手段と、を有し、前記制御手段は前記リモコン信号受信装置を設置したユーザが当該リモコン信号受信装置に対して行う地域設定、チャンネル設定、電話回線設定、個人情報設定のうち少なくともいずれか一つの設定がなされている場合には自社並びに他の製造メーカー固有のリモコン信号に対応する制御を実行し、前記設定がなされていない場合は他の製造メーカー固有のリモコン信号に対応する制御を実行しないことを特徴とする。
【手続補正３】
【補正対象書類名】明細書
【補正対象項目名】００１８
【補正方法】変更
【補正の内容】
【００１８】
上記目的を達成するために、請求項５記載のリモコン信号受信装置は、リモコンから受信したリモコン信号に対応する制御を実行するリモコン信号受信装置であって、リモコン信号を受信する受信手段と、自社並びに他の製造メーカー毎に夫々割り当てられた各メーカー固有のリモコン信号と、当該リモコン信号に対応する制御情報とを予め格納する格納手段と、前記受信手段で受信したリモコン信号に対応する制御情報を前記格納手段から取得し、当該制御情報に基づく制御を実行する制御手段と、を有し、前記制御手段は前記受信手段で受信したリモコン信号が前記格納手段に格納された製造メーカー固有のリモコン信号であるか否かを判別するとともに、当該リモコン信号が前記リモコン信号受信装置の電源ＯＮを指示するリモコン信号であるか否かを判別し、前記リモコン信号が電源ＯＮを指示するリモコン信号である場合には、電源ＯＮを指示したリモコン信号に対応する製造メーカー固有のリモコン信号に対応する制御を実行可能とすることを特徴とする。
【手続補正４】
【補正対象書類名】明細書
【補正対象項目名】００１９
【補正方法】変更
【補正の内容】
【００１９】
上記目的を達成するために、請求項６記載のリモコン信号受信装置の制御方法は、リモコンから受信したリモコン信号に対応する制御を実行するリモコン信号受信装置の制御方法であって、リモコン信号を受信する受信工程と、自社並びに他の製造メーカー毎に夫々割り当てられた各メーカー固有のリモコン信号と、当該リモコン信号に対応する制御情報とを予め記憶部に格納する格納工程と、前記受信工程で受信したリモコン信号に対応する制御情報を前記記憶部から取得し、当該制御情報に基づく制御を実行する制御工程と、を有し、前記制御工程では、前記リモコン信号受信装置を設置したユーザが当該リモコン信号受信装置に対して行う地域設定、チャンネル設定、電話回線設定、個人情報設定のうち少なくともいずれか一つの設定がなされている場合には自社並びに他の製造メーカー固有のリモコン信号に対応する制御を実行し、前記設定がなされていない場合は他の製造メーカー固有のリモコン信号に対応する制御を実行しないことを特徴とする。
【手続補正５】
【補正対象書類名】明細書
【補正対象項目名】００２１
【補正方法】変更
【補正の内容】
【００２１】
上記目的を達成するために、請求項１０記載のリモコン受信装置の制御方法は、リモコンから受信したリモコン信号に対応する制御を実行するリモコン信号受信装置の制御方法であって、リモコン信号を受信する受信工程と、自社並びに他の製造メーカー毎に夫々割り当てられた各メーカー固有のリモコン信号と、当該リモコン信号に対応する制御情報とを予め記憶部に格納する格納工程と、前記受信工程で受信したリモコン信号に対応する制御情報を前記記憶部から取得し、当該制御情報に基づく制御を実行する制御工程と、を有し、前記制御工程では、前記受信工程で受信したリモコン信号が前記記憶部に格納された製造メーカー固有のリモコン信号であるか否かを判別するとともに、当該リモコン信号が前記リモコン信号受信装置の電源ＯＮを指示するリモコン信号であるか否かを判別し、前記リモコン信号が電源ＯＮを指示するリモコン信号である場合には、電源ＯＮを指示したリモコン信号に対応する製造メーカー固有のリモコン信号に対応する制御を実行可能とすることを特徴とする。